(57)【要約】劇場公演において、無許可のイメージングシステムの使用を検出しかつ阻止するシステムおよび方法を開示する。センサーを、劇場イベントにおいて配置し、無許可のイメージング装置のフォーカシング信号および／またはRF信号を検出する。デフォーカシング信号を用いて、IRフォーカシングシステムを使用しないイメージング装置のオートフォーカスシステムを混乱させる。不可視光周波数を含む阻止信号を組み合わせて、イメージング装置のCCDによって白色光として受取られる阻止信号を生成し、それにより、記録されたイメージを使用不可能にする。イメージング装置の放射シグニチャをデータ記憶装置に記憶し、ネットワークを介して阻止システムのユーザーに配信する。放射シグニチャは阻止信号と関連付けられ、検出システムおよび阻止システムが、無許可のイメージング装置の使用に迅速に応答することを可能にする。2009512025.tif 000003
2009512025.tif 000002
【特許請求の範囲】
【請求項１】
ネットワーク；
ネットワークに接続されたプロセッサー；
コンテンツ阻止信号発生装置；
劇場公演会場内に設置され、ネットワークに接続されたセンサーを備え、
該センサーが、
劇場公演会場内部からのRFノイズ放射を検出すること；および
RFノイズ放射データをプロセッサーへ送信することに適合し、かつ
該プロセッサーが、
センサーからRFノイズ放射データを受信すること；
RFノイズ放射データがイメージング装置の存在を示しているかどうかを決定すること；
RFノイズ放射データがイメージング装置の存在を示している場合に、コンテンツ信号がそのイメージング装置により送信されているかどうかを決定すること；および
コンテンツ信号がイメージング装置によって送信されている場合に、コンテンツ信号を阻止するコンテンツ阻止信号を送信するようコンテンツ阻止信号発生装置に命じることに適合する、
劇場体験の著作権侵害を防止するための阻止システム。
【請求項２】
プロセッサーがさらに、
コンテンツ信号をコンテンツ信号シグニチャ（signature）として特性付けること；
コンテンツ信号シグニチャをコンテンツ阻止信号と関連付けること；および
コンテンツ信号シグニチャおよび関連付けられたコンテンツ阻止信号を、コンテンツ信号データ記憶装置に記憶することに適合する、
コンテンツ信号データ記憶装置をさらに備える、請求項1記載のシステム。
【請求項３】
コンテンツ信号が、スペクトル拡散信号、bluetooth信号、802.11(x)信号、振幅変調信号、およびFM変調信号からなる群より選択される、請求項1記載のシステム。
【請求項４】
コンテンツ阻止信号がノイズ信号を含む、請求項1記載のシステム。
【請求項５】
劇場公演会場の領域が部屋であり、センサーが部屋を画定する内壁上に設置される、請求項1記載のシステム。
【請求項６】
劇場公演会場の領域が野外劇場であり、センサーが、観客が占める領域を感知するよう空間的に配備された構造物上に取付けられる、請求項1記載のシステム。
【請求項７】
プロセッサーが、放射を発するイメージングシステムの位置を決定するための位置特定システムを備える、請求項1記載のシステム。
【請求項８】
センサーが客席設備に設置される、請求項1記載のシステム。
【請求項９】
センサーが、劇場公演会場内のある位置と関連付けられるセンサー位置アイデンティファイア（identifier）を備える、請求項1記載のシステム。
【請求項１０】
センサーがトランシーバーを備え、
該トランシーバーが、
アンテナ；
ローカルレシーバー；および
ローカルトランスミッターを備え、
該ローカルレシーバーが、イメージング装置からRFノイズ放射を受信することに適合しており；
該トランスミッターが、レシーバーによるRFノイズ放射の受信に応答して、RFノイズ放射データを位置特定システムに送信することに適合する、
該RFノイズ放射データに基づいてイメージング装置の位置を特定する位置特定システムをさらに備える、請求項1記載のシステム。
【請求項１１】
センサーが、劇場公演会場内のある位置と関連付けられるセンサー位置アイデンティファイアを備え、RFノイズ放射データがセンサー位置アイデンティファイアを含む、請求項1記載のシステム。
【請求項１２】
RFノイズ放射データが、レシーバーによって受信されたRFノイズ放射の信号強さの度合いをさらに含む、請求項11記載のシステム。
【請求項１３】
劇場公演会場からのRFノイズ放射を、センサーで受信する工程；
センサーからのRFノイズ放射データを、プロセッサーで受信する工程；
RFノイズ放射データがイメージングシステムの存在を示しているかどうかを、プロセッサーにおいて決定する工程；
放射データがイメージング装置の存在を示している場合に、コンテンツ信号がそのイメージング装置により送信されているかどうかを決定する工程；および
コンテンツ信号がイメージング装置により送信されている場合に、コンテンツ信号を阻止するコンテンツ阻止信号を送信するようコンテンツ阻止信号発生装置に命じる工程
を含む、劇場体験の著作権侵害を防止する方法。
【請求項１４】
コンテンツ信号をコンテンツ信号シグニチャとして特性付ける工程；
コンテンツ信号シグニチャをコンテンツ阻止信号と関連付ける工程；および
コンテンツ信号シグニチャおよび関連付けられたコンテンツ阻止信号を、コンテンツ信号データ記憶装置に記憶する工程
をさらに含む、請求項13記載の劇場体験の著作権侵害を防止する方法。
【請求項１５】
コンテンツ信号が、スペクトル拡散信号、bluetooth信号、802.11(x)信号、振幅変調信号、およびFM変調信号からなる群より選択される、請求項13記載の劇場体験の著作権侵害を防止する方法。
【請求項１６】
コンテンツ阻止信号がノイズ信号を含む、請求項13記載の劇場体験の著作権侵害を防止する方法。
【請求項１７】
劇場公演会場の領域が部屋であり、センサーが部屋を画定する内壁上に設置される、請求項13記載の劇場体験の著作権侵害を防止する方法。
【請求項１８】
劇場公演会場の領域が野外劇場であり、センサーが、観客が占める領域を感知するよう空間的に配備された構造物上に取付けられる、請求項13記載の劇場体験の著作権侵害を防止する方法。
【請求項１９】
センサーが客席設備に設置される、請求項13記載の劇場体験の著作権侵害を防止する方法。
【請求項２０】
RF放射データが、センサーを劇場公演会場内のある位置と関連付けるセンサー位置アイデンティファイアを含む、請求項13記載の劇場体験の著作権侵害を防止する方法。
【請求項２１】
RFノイズ放射データを用いてイメージング装置を劇場公演会場において位置特定する工程をさらに含む、請求項20記載の劇場体験の著作権侵害を防止する方法。
【請求項２２】
RFノイズ放射データが、センサーによって受信されたRFノイズ放射の信号強さの度合いを含む、請求項13記載の劇場体験の著作権侵害を防止する方法。
【請求項２３】
RFノイズ放射データを用いてイメージング装置を劇場公演会場において位置特定する工程をさらに含む、請求項22記載の劇場体験の著作権侵害を防止する方法。
【発明の詳細な説明】
【背景技術】
【０００１】
背景
本発明は、一般にエンターテインメントの分野に関する。より具体的には、本発明は、劇場公演における無許可のイメージングシステムの使用を検出しかつ阻止するシステムおよび方法である。
【０００２】
エンターテインメントは、数十億ドル規模のビジネスである。映画、演劇、およびコンサートは、時間的価値および知的財産価値の両方を有する投資である。エンターテインメント資産の時間的価値は通常非常に高いが、エンターテインメント資産への需要は、その資産へのアクセスが増加すると共に、または他のエンターテインメント資産との競合が増すと共に、いずれ低下するという現実を反映する。例えば映画は、それが初めて劇場へ公開され、将来の観客が映画についての広告および刺激的宣伝に曝されるときに、最も価値がある。映画は、観客が映画を見てしまうと共に、および他の映画が公開されると共に、時間につれて価値が低下する。
【０００３】
エンターテインメント資産はまた、知的財産価値を有する。例えば、劇場公開を完了した映画は、販売用またはレンタル用のビデオとして潜在的価値を有する。映画は著作権を有する資産であり、その資産は、売却するかまたはライセンス供与することができる。同様に、ライブ公演は、極めて価値が高くかつ保護を必要とするそれ自身の著作権を有する。
【０００４】
エンターテインメント資産は、ますます著作権侵害を受けやすくなっている。映画、コンサート、および演劇に客を受け入れる劇場および他の会場は、公演の動画撮影、ビデオ録画、またはスチル写真記録を禁止している。しかし、そのような入場者の状況を取り締まることは困難である。広大で暗い劇場で、ビデオカメラまたは他のイメージングシステムを発見することは、大きな難題である。さらに、イメージングシステムは隠され、また劇場公演のビデオコンテンツおよびオーディオコンテンツは、公演が行われている会場外の位置へ送信される可能性がある。さらに新しい映画公開の数日以内または数時間以内にさえ、様々な品質の海賊版コピーが路上販売で入手できる場合もある。そのようなコピーはしばしば、映画館へビデオカメラを持込んで単に映画を撮影または録画する、不謹慎な個人が原因である。次いで、コピーが「ボイラールーム（boiler room）」環境で速やかに作成され、路上で販売されうる。これは単に映画のみに当てはまるわけではない。ライブコンサートおよび公演は、著作権法によって等しく保護されているが、残念ながらこの種の著作権侵害を同じ程度に受け易い。さらに、写真撮影が禁止されているコンサートでも、演奏者をスチルカメラによってイメージングすることは可能である。劇場公演を不正に記録するために用いられるイメージングシステムの使用を検出し、位置を特定し、かつ／または阻止する手段が必要とされている。
【発明の開示】
【０００５】
概要
本発明のある態様は、劇場イベントを不正に撮影するために用いられているイメージングシステムの使用を検出し、位置を特定し、かつ／または阻止するシステムおよび方法である。本出願の目的において、語句「イメージングシステム」は、下記を述べるために用いる：(a) 劇場公演を記録し再現することができる記憶媒体を有する、デジタルまたはテープベースの任意のスチルカメラまたはムービーカメラ、および (b) 公演のオーディオおよびビデオコンテンツを取込んで、劇場イベントの外部の場所へそのコンテンツを送信することができる、ビデオおよびオーディオ変換器。用語「阻止」は、ビデオおよびオーディオの取込みが起こっていることを検出する、記録を停止させる、もしくは記録したものを無効にする、またはそれらの任意の組合せであるいずれか任意の動作を述べるために用いる。
【０００６】
劇場イベントを不正に撮影するために用いられているイメージングシステムを検出し、位置を特定することが、本発明の一局面である。
【０００７】
劇場イベントを不正に撮影するために用いられているイメージングシステムによって放射される赤外線オートフォーカスビームを検出することが、本発明の別の局面である。
【０００８】
劇場イベントを不正に撮影するために用いられているイメージングシステムの無線周波数シグニチャ（signature）を検出することが、本発明のさらに別の局面である。
【０００９】
スチルおよびビデオの両方のイメージングシステムを検出することが、本発明のさらに別の局面である。
【００１０】
記録プロセスを妨げるかまたは記録したものを視聴できない状態にすることによって、イメージングシステムによる劇場イベントの記録を阻止することが、本発明の一局面である。
【００１１】
いかなるフォーカスビームを検出した場合にも、イメージ記録システムを「攻撃する（blast）」ことが、本発明の別の局面である。
【００１２】
フォーカスビームが検出されない場合にでさえも、記録を阻止するため、定期的に監視区域を攻撃することが、本発明の別の局面である。
【００１３】
フォーカスビームを検出し次第、劇場体験を中止させることが、本発明のさらに別の局面である。
【００１４】
使用中のフォーカスビームを正確に記録すること、ならびにより有効な阻止信号を生成するためおよび後の犯罪科学的分析のためにそのビームを特性付けることが、本発明のさらなる局面である。
【００１５】
劇場公演のビデオおよびオーディオコンテンツの取込みおよびそのコンテンツの劇場公演会場の外部の場所への伝送を、検出しかつ阻止することが、本発明の一つの局面である。
【００１６】
劇場公演を「著作権侵害する」ために用いられるイメージング装置の位置を特定することが、本発明の別の局面である。
【００１７】
本発明のこれらおよび他の局面が、以下に続く詳細な記述を検討することによって明らかになる。
【００１８】
一般に、本発明のシステムおよび方法は、イメージングシステムのオートフォーカス機能を検出し、そのシステムによる任意のビデオおよびオーディオコンテンツの記録を阻止する信号を提供する。さらに本発明は、オートフォーカスシステムの検出を必要としない。例えば、非限定的に、劇場イベントの観客の全体に、阻止信号を連続的に送り出して、イメージングシステムの作動に悪影響を及ぼすこともできる。
【００１９】
本発明のある態様は、劇場体験の著作権侵害を検出するためのシステムを提供する。センサーが、劇場体験が行われている領域に空間的に近接して配置され、ネットワークに接続される。このセンサーは、イメージングシステムからのオートフォーカス放射を感知し、オートフォーカス放射を受信した場合は、信号を送信するのに適合している。代替的な態様では、複数のセンサーを配置して、オートフォーカス放射を検出する。さらに別の代替的な態様では、複数のセンサーはさらにイメージングシステムからの無線周波数放射を受信するのに適合している。本発明の別の態様では、無線周波数放射を受信するのに適合しているセンサーを、観客席設備に設置する。したがって、本出願が用語「センサー」に言及する場合に、これは限定を意味しないことを当業者は理解すると考えられる。本明細書に記すように、複数のセンサーを、不正な記録の検出を達成するために用いてもよい。さらに、検出センサーとは独立したセンサーを用いて、劇場公演が行われている会場の外での受信を意図したビデオおよびオーディオコンテンツの伝送波を受信し、特性付け、かつ阻止してもよい。
【００２０】
イメージング装置を示す信号がセンサーで受信されると、ネットワークに接続されセンサーから信号を受信するのに適合したプロセッサーが、「是正措置」を開始する。本出願の目的において、用語「是正措置」とは、無許可の記録が行われている公演または会場の管理者に提供される警報を意味する。または、「是正措置」とは、無許可の記録を感知すると作製されるフラグまたはトリガーであり、それは次に記録を混乱させる阻止信号の形の自動応答を引き起こす。
【００２１】
本発明の一つの態様では、プロセッサーは、放射を生じるイメージングシステムの位置を決定するためのコンピュータプログラムを備える。本発明のある態様では、劇場体験が行われている領域が部屋である場合、センサーを、部屋を画定する内壁上に設置する。本発明の別の態様では、劇場体験が行われている領域が野外劇場である場合、センサーを、観客が占めるスペースを囲むように空間的に配置された構造物上に取付ける。
【００２２】
本発明のある態様では、劇場体験の著作権侵害を検出する方法を提供する。センサーを、劇場体験が行われている領域の近くに設置する。このセンサーは、イメージングシステムからのオートフォーカス放射を受信する。プロセッサーが、このセンサーの出力を受け取る。イメージングシステムからのオートフォーカス放射を検出すると、警報が起動して、関係当局に注意を喚起し、かつ／またはそれは、阻止信号の形で本発明のシステムによる自動応答を開始するように働く。任意で、センサーは、イメージングシステムの無線周波数放射を受信する。加えて、プロセッサーは、センサーが受信したオートフォーカス放射源の位置決定のためのソフトウエア手段をさらに含んでもよい。周知の三角測量技術を使用することにより、オートフォーカス放射が発生しているイメージングシステムの物理的位置を決定することができる。
【００２３】
本発明の別の態様では、無線周波数放射を受信するのに適合したセンサーが、観客席設備に設置または結合される。座席設備のセンサーは、劇場公演会場内のある位置と関連付けられた同定システムを備える。限定としてではなく例示として、センサーは、レシーバーおよびトランスミッターを備えるトランシーバーを備える。レシーバーを同調させて、イメージング装置によって放射される無線周波数放射を受信する。トランスミッターは、レシーバーによる信号の受信に応答して、センサー位置アイデンティファイア（identifier）を含む報告信号を送信する。センサーは、劇場内におけるそれぞれの位置が一意的に同定されるので、それにより所与のセンサーからの信号を、劇場内の物理的な位置と関連付けることができる。別の態様では、報告信号はさらに、レシーバーによって受信された放射の検出された信号強さを含む。位置特定システムは、イメージング装置の近くのセンサー-トランシーバーによって送信された報告信号および検出された信号強さを用いて、劇場会場内のイメージング装置の位置を特定する。
【００２４】
本発明のさらに別の態様では、劇場体験の著作権侵害を阻止する方法を提供する。劇場体験が行われている領域の近くに、阻止信号発生装置を設置する。阻止信号発生装置は、例えば観客へ向けられたステージの近くに、あるいは部屋の壁上に、またはオートフォーカス信号が発せられている観客領域を信号がカバーすることになる様々な他の地点に、設置してもよい。発せられる阻止信号は、好ましくは、イメージングシステムには見えるが人の目には見えない。無許可のイメージングシステムは、非限定的に、スチルカメラ、動画カメラ、CCDアレイカメラ、および携帯電話カメラであってもよい。本発明の一つの態様では、阻止信号は赤外スペクトル領域にある。
【００２５】
本発明の別の態様では、阻止信号は、人の目に見えない短時間の可視光信号である。さらに別の態様では、阻止信号は、電磁スペクトルのRF地帯にあってもよい。または阻止信号を、ステージ上の装置に取付けられた阻止信号発生装置から発する。本発明の別の態様では、阻止信号を、ステージの周辺に取付けられた阻止信号発生装置から発する。本発明のさらに別の態様では、阻止信号を、スクリーンの背後に設置された阻止信号発生装置から発する。阻止信号発生装置領域のための他の位置は、カバーするべき観客の配置に、および必要とされるまたは法律および規定によって指示される信号強さに基づいた、設計上の選択の問題であることは、当業者には明白である。
【００２６】
本発明の一つの態様では、阻止信号発生装置を、違法記録を停止させるかまたは妨げるよう設計された公知の赤外線および／またはRFの命令を発するように構成してもよい。記録装置の多くは、記録装置を制御するための赤外線インターフェースを備えている。したがってプロジェクターは、例えば記録装置にパターンを投射すると同時に、記録装置に対する全ての公知の停止、巻き戻し、取り出し、その他の命令を発することができ、また毎秒多数回反復してそうすることができると考えられる。したがって、精通していない盗撮者には、記録装置が誤動作するように見えると考えられる。所与の阻止信号発生装置は、任意の会場を十分にカバーするために複数のエミッターを有してもよい。さらに、本発明の単一の阻止信号発生装置は、多くの異なるブランドのイメージ記録装置を同時に阻止して記録されつつあるイメージを劣化させ、一方で、多くの異なる型のイメージ記録装置の正常動作を妨げるために、様々な制御命令もまた発することができる。
【００２７】
本発明のさらに別の態様では、阻止信号発生装置は、劇場の会場からのオーディオおよび／またはビデオコンテンツの伝送を妨げるのに適合する。
【００２８】
本発明の別の態様では、劇場体験の著作権侵害を阻止する方法を提供する。複数の阻止信号発生装置を、劇場体験が行われている領域の近くに設置する。無許可のイメージングシステムには検知できるが、人の目には見えない阻止信号を発する。
【００２９】
詳細な説明
本発明の一つの態様では、劇場イベントが行なわれている公演領域(すなわちステージまたはスクリーン)に、および公演領域の側方および背後の構造物上に、ならびに観客の上の構造物上に、赤外線(IR)センサーを設置する。IRセンサーは、イメージングシステムの装置で用いられる距離計(オートフォーカス装置)によって放射されるIRエネルギーに感受性を有する。このIR光は、一般にイメージングシステムによって、標的に向けた主ビームとして放射される。標的は、光を反射してイメージングシステムへ戻し、そこで光は受け取られ、標的のイメージングシステムからの距離を決定するために処理される。
【００３０】
イメージングシステム上のIR光トランスミッターは、IR光の主ビームを放射するだけでなく、それほど強力でない副ビームも放射し、それは、イメージングシステムのどちらか一方の側に設置された本発明のIRセンサーによって検出することができる。または、主IRビームが公演の出演者をフォーカスするのに用いられている事実を捕えるために、IRセンサーをステージに、ステージの背後に、ステージ上にある装置または背景に、配置することができる。映画スクリーンの場合には、スクリーン中の「ピンホール」開口をスクリーンの背後の検出器と共に用いて、IRビーム(あるいは他のエネルギー)がスクリーンをフォーカスするのに用いられている事実をさらに捕らえてもよい。そのようなピンホール開口は、観客の目には見えないが、それによりエネルギーを感知することが可能になると考えられる。
【００３１】
さらに本発明は、標的から反射されたIR放射を検出するために、イメージングシステムの後ろに設置されるIRセンサーを提供する。これらのセンサーを、例えば劇場の後壁上の固定された位置に、またはいわゆる「スタジアム」座席の場合には、劇場の様々な階層の前壁に配置する。天井のセンサーを用いて、標的によって散乱したIRを獲得してもよい。
【００３２】
全てのIRエミッターが正確に同じように放射するわけではない。したがって、本発明の一部は、フォーカシング（focusing）信号が存在することを検出することだけでなく、その信号を記録し特性付けることである。このようにして、用いられたイメージングシステムの型を、そして場合によっては、用いられたIRエミッターのブランドおよびエミッターそのものさえも、法廷用の目的のために、後で再現することができる。著作権侵害は本来犯罪であるので、この情報を後の訴追活動に用いることができる。さらに、このIR信号の分析をリアルタイムで用いて、より有効な阻止信号を作製できるように、検出されたエミッターに同調させた、または適合させた阻止信号を送ることができる。
【００３３】
本発明のある態様によれば、イメージング装置からの放射を、イメージング装置「放射シグニチャ」のデータ記憶装置に記憶し、それを検出、阻止、および法廷用の調査のために用いることができる。放射シグニチャは、「あらかじめ特性付けておく」か、または劇場イベントの場で収集することができる。本発明のある態様によれば、放射シグニチャは阻止信号と関連付けられ、本明細書に記述する阻止システムのユーザーが、ネットワークを介して入手できるようにされる。
【００３４】
いくつかのビデオカメラは、オートフォーカスのためにIRを用いないで、入射光に頼って、記録しているイメージングを最適化する。これらのイメージングシステムでは、CCDイメージセンサーおよび関連するプロセッサーが、例えば映画館のスクリーンから反射される光の入射波形を感知して、できるだけシャープなイメージを作成しようとする。可能な限りの最もシャープなイメージは、可能な限り最も高い周波数を要求するので、このシステムは、入ってくるイメージ中の最高周波数を見出し、CCDの位置を調節してこの周波数の受け入れを最適化しようとする。本発明の別の態様では、デフォーカシング（de-focusing）信号を用いて、この型のオートフォーカスシステムを混乱させる。
【００３５】
この態様では、デフォーカシング信号は、公演領域の前部または後部にある発生源から放射される高周波光パルスであり、それによって、イメージングシステムに記録イメージの誤ったフォーカスを行わせるか、またはイメージングシステムが焦点位置を絶えず変化するようにさせる。別の態様では、様々な焦点位置の複数のデフォーカシング信号を用いて、記録プロセスを混乱させる。再度、そのようなエネルギーの発生源は、会場の周辺に、ステージ上のまたは出演者のすぐ背後の装置上に、あるいはイメージを混乱させる目的のために観客にエネルギーを向けることができる他の位置に、あることができる。
【００３６】
受動オートフォーカスシステムは、いつイメージがフォーカスされたかを決定するためにコントラストを用いる。イメージング装置中のマイクロプロセッサーがピクセルの帯状列を眺め、隣接するピクセル間の輝度差を見る。イメージの焦点が合っていない場合は、隣接するピクセルは非常に似た輝度を有する。マイクロプロセッサーはレンズを動かし、再びCCDのピクセルを見て、隣接するピクセル間の輝度の差が改善したか、悪化したかを見る。次にマイクロプロセッサーは、隣接するピクセル間に最大の輝度差が存在する点を探し出し、それが最良の焦点の位置である。
【００３７】
本発明のある態様では、阻止信号が、イメージのコントラストを変化させる短い光パルスを含み、それによって、オートフォーカスシステムが場面の適切な焦点を決定する能力に影響を与える。本発明のある態様では、パルスレートが人の目が応答できるより速く、それによって、光周波数が可視スペクトル内にあっても、パルスを人間にとっては「目に見えなく」する。
【００３８】
本発明のさらに別の態様では、「阻止信号」は、人の目には見えないが、デジタルイメージングシステムのCCDによっては検出可能な光スペクトル中にエネルギーを放射する光源を含む。例示のためであって限定としてではないが、ビデオカメラに用いられる多くのCCDが、IRエネルギーに対し感受性である。IRエネルギーを含む阻止信号は、記録の中では白色光と見なされると考えられる。他の不可視光周波数を組み合わせて、この種の阻止信号を生成してもよい。このように、新しいCCDが開発されるにつれて、先に記述した阻止目的を達成するために、阻止信号はCCDの分光感度に適応するよう調節される。別の態様では、阻止信号は、映写機からスクリーンに投射される。別の態様では、阻止信号は、ライブ公演の公演領域から外に向けて投射される。
【００３９】
さらに、新世代のイメージング携帯電話については、「ノンフォーカシング（non-focusing）」システムの将来的可能性がさらに高い。本発明の阻止信号は、そのような装置のイメージング能力を混乱させるように働く。
【００４０】
人の目は、短い光パルスを検出することができないので、阻止信号は可視スペクトル中の光エネルギーを含むことができる。この態様では、光を高いエネルギーでパルス化するが、人の目によって検出されるのに十分には高くない。別の態様では、阻止信号は可視および不可視スペクトルの両方からの光を含み、パルス化されて劇場イベントの記録を阻止する。本発明のある態様では、イメージングシステムのCCDアレイを短時間飽和させ、それが完全に回復する前にCCDアレイを飽和させ続けるように、可視光阻止信号の周波数、出力、およびパルスレートを選択する。
【００４１】
図1は、劇場公演の間に使用するために構成された、本発明のある態様による阻止システムのブロック図を示す。図1を参照すると、公演領域10で劇場公演が行なわれ、観客15によって観覧される。観客の一人がイメージングシステム20を用いて、劇場公演を撮影している。イメージングシステム20は、フォーカシング信号22およびRFシグニチャ24の両方を発する。本発明のある態様では、フォーカシング信号は、IR光信号である。しかし本発明は、それに限定されるわけではない。他のフォーカシング信号を、本発明の範囲から逸脱することなく利用することができる。フォーカシング信号は焦点対象から反射される：26。さらに、イメージングシステムのオートフォーカスシステムによって生成されるフォーカシング信号のサイドローブが、レンズの方向に対して垂直に発せられる。センサー30を、公演領域に(観客には見えないように)、観客の側方に、および観客の後方に配置して、イメージングシステムのフォーカシング信号およびRFシグニチャの両方を受信する。RF専用センサー32を観客の座席に配備する。
【００４２】
本発明の一つの態様では、各座席にはRF専用センサー32を備える。RF専用センサー32は、劇場公演会場のある位置と関連付けられた同定システムを備える。限定としてではなく例示として、センサーは、レシーバーおよびトランスミッターを備えるトランシーバーを備える。レシーバーを同調させて、イメージング装置によって放射される無線周波数放射を受信する。トランスミッターは、レシーバーによる信号受信に応答して、センサー位置アイデンティファイアを含む報告信号を送信する。別の態様では、報告信号は、さらにレシーバーが受信した放射の検出された信号強さを含む。位置特定システムは、イメージング装置に近いセンサー−トランシーバーから送信された報告信号および検出された信号強さを用いて、劇場の会場内のイメージング装置の位置を特定する。
【００４３】
阻止信号発生装置40およびデフォーカシング信号発生装置45が、イメージングシステム20の前方および後方に図示されている。しかし本発明は、それに限定されるわけではない。阻止信号発生装置40およびデフォーカシング信号発生装置45は、イメージングシステム20の側方および頭上に配置してもよい。
【００４４】
本発明のある態様では、IRセンサーを、ネットワークを介してプロセッサーに接続する。プロセッサーは、IRセンサーからデータを受信すると、そのデータを用いて、イメージングシステムの近似的な位置を、公知技術の手段を用いて数学的に三角測量することができる。
【００４５】
本発明の別の態様では、RF検出器が、IRセンサーの代わりにまたはそれに追加して用いられる。この態様では、RF検出器は観客を走査して、デジタルカメラのフィンガープリント（fingerprint）と合致するRFシグニチャを探す。検出されたRF信号はプロセッサーに提供される。プロセッサーは、RFセンサーからのデータを受信したならば、そのデータを用いて、イメージングシステムの近似的位置を、公知技術手段を用いて数学的に三角測量できる。本発明の別の実施態様では、RF検出器をIRセンサーと共に用いて、IRセンサーを、疑わしい作動中のカメラに集中させることが可能になる。さらに、RF検出器を、客席設備中に設置してもよい。
【００４６】
さらに別の態様では、阻止信号発生装置40およびデフォーカシング信号発生装置45を、検出器なしで設置する。
【００４７】
本発明のシステムは、移動可能である。例えば、巡業劇場イベントでは、一つのイベントでシステムを取り外し、それを次のイベントへ輸送して、そこに設置することが想定される。したがって、その劇場イベントのプロデューサーは、公演がどこへ行っても保護が与えられるという、一定の保証を有することができる。
【００４８】
図2は、本発明のある態様による、放射シグニチャ記憶装置および分配システムを示す。本発明のある態様では、阻止システム205、210、および215が、阻止システム制御サーバー220によって制御される。限定としてではなく例示として、映画館複合施設に阻止システム205、210、215、および阻止システム制御サーバー220を設置して、複数の劇場で上映される劇場公演を保護することができる。阻止制御サーバー220は、ローカルシグニチャライブラリー225にアクセスして、阻止システムによって検出された「放射」特性が、あるイメージング装置を示しているかどうかを決定し、放射シグニチャを少なくとも一つの阻止信号と関連付ける。限定としてではなく例示として、放射シグニチャは、IR放射、電磁放射、およびRF放射を含む。
【００４９】
放射シグニチャがローカルシグニチャライブラリー225にない場合は、阻止制御サーバー220は、未知の放射シグニチャを、分析のためにローカルシグニチャ識別プロセッサー230に委託してもよい。検出された放射シグニチャをローカルデータ記憶装置235に記憶し、後で阻止のためにおよび法廷用の調査のために用いてもよい。ローカルシグニチャ識別プロセッサー230によってイメージング装置および阻止信号と関連付けられた放射シグニチャは、ローカルシグニチャライブラリー225に追加される。
【００５０】
放射シグニチャは、中央シグニチャ識別プロセッサー260を用いて「あらかじめ特性付けられる」か、または阻止システム205、210、および215を使用している劇場イベントサイトで集められる。放射シグニチャは、イメージング装置および阻止信号と関連付けられ、ネットワーク250を介して阻止システム205、210、および215のユーザーに、アクセス可能にされる。中央シグニチャライブラリー255へのアクセスが、中央制御サーバー265によって提供される。本発明のある態様によれば、中央制御サーバー265が、中央シグニチャライブラリー255に保持された放射シグニチャデータへの、および中央シグニチャ識別プロセッサー260への、安全なアクセスを提供する。本発明の別の態様では、中央制御サーバー265が、阻止システム205、210、および215によって用いられる、ローカルシグニチャライブラリー225に保持された放射シグニチャデータの自動アップデートを、ネットワーク250を介して管理する。
【００５１】
本発明の一つの態様では、阻止信号発生装置を、違法記録を停止するかまたは妨げるように設計された公知の赤外線命令を発するように構成してもよい。記録装置の多くは、記録装置を制御するための赤外線インターフェースを備えている。したがってプロジェクターは、例えば記録装置へのパターンの投射に加えて、記録装置用の全ての公知の停止、巻き戻し、取り出し、その他の命令もまた発することができる。したがって、精通していない盗撮者にとっては、記録装置が誤動作するように見えると考えられる。阻止信号発生装置内に複数のエミッターを装着すると、単一の阻止信号発生装置が、イメージ記録を阻止すると同時に制御命令も発することができる。特定のイメージング装置用の制御命令を、ローカルシグニチャライブラリー225および／または中央シグニチャライブラリー255に記憶し、また放射シグニチャと関連付けてもよい。本発明の一つの態様では、イメージング装置の存在が検知された場合には、すべての公知のイメージング装置用制御命令を連続的に送信して、それによりそれらのイメージング装置の通常動作を阻止してもよい。
【００５２】
図3は、本発明のある態様による、劇場公演会場からのビデオおよびオーディオコンテンツの伝送を阻止するための阻止システムのブロック図を示す。
【００５３】
劇場公演会場は、アンテナ305、315、320、および325を備える。図3はさらに、各座席がセンサー335と関連付けられた、客席330の一部を示す。イメージング装置340が、センサー335Cと335Dとの間に位置している。イメージング装置340は、コンテンツ伝送信号350を発する。
【００５４】
前述したように、イメージングシステム340は、イメージングシステムの様々な回路によって生成されるRF「ノイズ」を含むRFフィンガープリントを発する。センサー335は、RFフィンガープリントを検出する。当業者には当然理解されるように、イメージングシステム340のRFフィンガープリントの信号強さは、センサー335Cおよび335Dの近くで最も強い。
【００５５】
図4は、本発明の態様による、RFセンサーと関連付けられたトランシーバーを示す。センサー(図3の335参照)は、劇場公演会場の中のある位置と関連付けられた同定システムを備える。限定としてではなく例示として、センサーはトランシーバー400を備え、トランシーバーはアンテナ420、レシーバー405、およびトランスミッター410を備える。レシーバー405を同調させて、イメージング装置によって放射された無線周波数放射を受信する。トランスミッター410は、レシーバーによる信号の受信へ応答して、センサー位置アイデンティファイア425を含む報告信号を送信する。別の態様では、報告信号は、イメージング装置によって放射されたRF放射に関する信号データ430をさらに含む。限定としてではなく例示として、信号データは、レシーバーによって受信された放射の信号強さの度合いを含んでもよい。位置特定システム(図示せず)は、イメージング装置近くのセンサー-トランシーバーによって送信された報告信号および検出された信号強さを用いて、劇会場内のイメージング装置の位置を特定する。
【００５６】
図5は、本発明の態様による、劇場公演会場からのビデオおよびオーディオコンテンツ送信を阻止するためのプロセスを示す。図3も参照して、イメージング装置のRFフィンガープリントの検出に応答して、アンテナ305、315、320、および325が、広域スペクトルにわたる伝送信号を受信する：500。伝送信号を特性付け：510、信号がコンテンツ伝送信号であるという決定をする。当業者には当然理解されるように、このプロセスは多くの方法によって遂行できる。限定としてではなく例示として、公演会場において、「空の」会場の基準RF走査を行う。イメージング装置を検出しようとする公演中に、アンテナ305、315、320、および325を用いてこの公演会場を走査して「外来性信号」を同定し、それをコンテンツ伝送信号であると特性付けてもよい。
【００５７】
特定の外来性信号を遮断または妨害するために、阻止信号を生成する：520。阻止信号を、次にアンテナ305、315、320、および325を通じて送信する：530。
【００５８】
限定としてではなく例示として、コンテンツ伝送信号はハンドシェイクベースの伝送プロトコル(例えば、Bluetooth(商標)および802.11(x))に準拠していてもよいし、またはFM、AM、またはスペクトル拡散として変調された一方向伝送信号であってもよい。
【００５９】
劇場公演での無許可のイメージングシステムの使用を検出しかつ阻止するシステムおよび方法を、ここに示した。本発明の当業者は、本発明のシステムおよび方法を、フォーカシング信号の検出を伴ってまたは伴わずに、使用することができることを理解すると考えられる。したがって本発明は、フォーカシング信号の検出が行われていない場合にさえ、劇場イベントの記録を阻止するためのエネルギーの定期的「攻撃」を提供するために役立つと考えられる。フォーカシング信号を検出した場合もしなかった場合も、可視、近IR、およびRF周波数の、様々な阻止信号を用いて、イベントのイメージングを混乱させることができる。さらに、本出願の特許請求の範囲は、単一のセンサーまたは阻止信号発生装置について論ずるが、これは限定を意味するものではない。本発明は、好ましい態様においては、複数のセンサーおよび阻止信号発生装置を用いることになっており、それらの数および強さは劇場体験が行われている会場の大きさおよび形に依存して変わると予想される。さらに、システムおよび方法を、開示した本発明の範囲から逸脱することなく、他の特定の形態で実施することができ、また本明細書に記述した実施例および態様は、あらゆる点で例示のためであって、限定するためではない。本発明の当業者は、本明細書に記述した概念を用いる他の態様が可能であることも、当然認識すると考えられる。
【図面の簡単な説明】
【００６０】
【図１】本発明の態様による、劇場公演の間に使用するために構成された阻止システムの、ブロック図を示す。
【図２】本発明の態様による、放射シグニチャ記憶装置および分配システムを示す。
【図３】本発明の態様による、劇場公演会場からのビデオおよびオーディオコンテンツの伝送を阻止するための阻止システムの、ブロック図を示す。
【図４】本発明の態様による、RFセンサーと関連付けられたトランシーバーを示す。
【図５】本発明の態様による、劇場公演会場からのビデオおよびオーディオコンテンツの伝送を阻止するためのプロセスを示す。
【図１】
2009512025.tif 000004
【図２】
2009512025.tif 000005
【図３】
2009512025.tif 000006
【図４】
2009512025.tif 000007
【図５】
2009512025.tif 000008